(57)【要約】【課題】リールを取り付けた際に、リール脚がガタ付いたり、ブレたりすることのないリール脚固定装置を提供することを目的とする。【解決手段】本発明は、リール脚の一端側を固定する固定フード８と、固定フードに対して軸方向に移動しリール脚の他端側を固定する移動フード９とを備え、両フードの内、少なくとも一方のフードのフード部材９ａ裏面にリール脚表面に接触するクッション１５を取着したリール脚固定装置５において、フード部材９ａとクッション１５との間に隙間Ｓを有するようにクッション１５をフード部材９ａに取着し、この隙間Ｓにクッション１５が変動可能となるように板バネ２０を設けたことを特徴とする。【選択図】    図１
2004254592.tif 000002
【特許請求の範囲】
【請求項１】
リール脚の一端側を固定する固定フードと、固定フードに対して軸方向に移動しリール脚の他端側を固定する移動フードとを備え、前記両フードの内、少なくとも一方のフードのフード部材裏面にリール脚表面に接触するクッションを取着したリール脚固定装置において、
前記フード部材とクッションとの間に隙間を有するように前記クッションをフード部材に取着し、この隙間に前記クッションが変動可能となるように弾性体を設けたことを特徴とするリール脚固定装置。
【請求項２】
前記弾性体は、前記フード部材の裏面と前記クッションの表面との間に配設されるバネ部材であることを特徴とする請求項１に記載のリール脚固定装置。
【請求項３】
前記弾性体は、前記隙間を充填するように配設される弾性変形可能な材料によって構成されることを特徴とする請求項１に記載のリール脚固定装置。
【発明の詳細な説明】
【０００１】
【発明の属する技術分野】
本発明は、釣竿に設けられ、リールを固定するリール脚固定装置に関する。
【０００２】
【従来の技術】
通常、魚釣用リールが装着される釣竿には、リール脚を移動フードと固定フードとの間で固定、保持するリール脚固定装置が設けられている。このようなリール脚固定装置には、締付けナット（雌ネジ）を螺合させることで移動フードを進退させつつリール脚を固定するもの、或いは、操作レバーを倒伏操作することで移動フードを固定しつつリール脚を固定するものが知られている。そして、上記した固定フードや移動フードには、固定されるリール脚の表面に傷が付かないように、その内面に樹脂等によって形成された固定クッションが装着されている。このような固定クッションは、リール脚がなじむような形状に形成されているものの、釣竿に装着されるリールには様々な形式のものがあり、移動フードを固定した際に、リールによっては、リール脚と固定クッションとの間に隙間が生じ、ズレやガタ付きが発生するという問題がある。
【０００３】
そこで、このような問題を解決するために、特許文献１には、リール脚載置面に弾性変形し得る板ばねを設置してリール脚を下側から固定クッションに当て付け、装着されたリールがガタ付いたり、ズレないようにする構成が開示されている。
【０００４】
【特許文献１】
特開２００２−３６０１３０号公報。
【０００５】
【発明が解決しようとする課題】
しかし、上記した構成では、リール取り付けの際に、最初にリールを当て付ける部分であるリール載置面上に弾性変形し得る板状部材が設置されているため、リール取り付け時の妨げとなり、操作性が悪いという問題がある。また、板ばねの弾性変形によって、リール脚には継続的な押圧力が作用してリール脚が固定保持されるが、固定クッションは変動せずに位置固定された状態にあることから、固定クッションに対してリール脚側から大きな押圧力が作用しても、それは点あたり状態となり、この結果、安定した押さえ状態が発揮、維持されないという問題がある。さらに、一般的に板ばねのような弾性変形し得る弾性体は、表面摩擦力が小さいため、リール脚が滑り易く、この結果、安定した保持状態が維持されず、ガタ付きやズレが生じ易くなってしまう。
【０００６】
本発明は、上記した問題に基づいてなされたものであり、リールを取り付けた際に、リール脚がガタ付いたり、ブレたりすることのないリール脚固定装置を提供することを目的とする。
【０００７】
【課題を解決するための手段】
上記した課題を解決するために、本発明に係るリール脚固定装置は、リール脚の一端側を固定する固定フードと、固定フードに対して軸方向に移動しリール脚の他端側を固定する移動フードとを備え、前記両フードの内、少なくとも一方のフードのフード部材裏面にリール脚表面に接触するクッションを取着した構成において、前記フード部材とクッションとの間に隙間を有するように前記クッションをフード部材に取着し、この隙間に前記クッションが変動可能となるように弾性体を設けたことを特徴としている。
【０００８】
上記した構成では、リール脚を固定すべく、移動フードを軸方向に移動して締め付けて行くと、フード部材裏面に取着されたクッションがリール脚表面に当て付き、クッション自体がフード部材との間に設けられた弾性体が弾性変形することにより変動する。すなわち、クッションは、リール脚の表面形状に応じて、最適な状態に変動できるため、従来のクッションが固定されていた場合の点接触状態から、線接触ないしは面接触状態となり、理想的なクッション角度が得られ、リール脚をガタ付かせたり、隙間を生じさせることなく固定することが可能となる。
【０００９】
【発明の実施の形態】
以下、本発明の実施形態について説明する。
図１〜図３は、本発明に係るリール脚固定装置の第１の実施形態を示す図であり、図１は、リール脚固定装置の部分断面図、図２は、固定フード部分の平面図、そして、図３は、図２のＡ−Ａ線に沿った断面図である。
【００１０】
釣竿を構成する管状体は、例えば、強化繊維に合成樹脂を含浸させたプリプレグシートを管状に成形することで構成されており、図１に示すように、基端側の管状体１には、魚釣用リールのリール脚を装着するリール脚固定装置５が設けられている。
【００１１】
リール脚固定装置５は、管状体１を囲繞すると共に、リール脚が載置される平坦状のリール脚載置面６ａを有するリール脚載置部６を備えており、このようなリール脚載置部６は、例えば、管状体１に対して軟質性のある材料を射出成形したり、筒状に成形したリール脚載置部を管状体１に圧入することで形成することが可能である。
【００１２】
リール脚載置部６の前後には、リール脚を保持、固定するためのフードが設けられており、これらのフードは、本実施形態の場合、竿先側が軸方向に固定されたフード８（以下、固定フード）で、基端側が軸方向に移動可能で、リール脚載置部６に対して接近、離反するように構成されたフード９（以下、移動フード）として構成されている。各フード８，９は、夫々、リール脚が差し込まれるようにリール脚の形状に沿うような開口を具備し、金属、合成樹脂等の硬質材料によって形成されたフード部材８ａ，９ａを備えている。
【００１３】
前記リール脚載置部６の後方には、合成樹脂、金属等の硬質材料によって成形された雄ネジ部１０が固着されており、この雄ネジ部１０には、ナット（雌ネジ部）１２が螺合して、このナット１２を回転操作することで、移動フード９は、軸方向に進退自在となっている。なお、移動フード９は、回転防止機構を介してナット１２が回転しても一体回転しないようにナット１２と係合しており、ナット１２を回転操作した際、回転することなく軸方向のみに進退するようになっている。
【００１４】
前記フード部材９ａの裏面には、リール脚が差し込まれた際、リール脚表面を傷付けないように、合成樹脂、ＦＲＰ、ゴム、ウレタン等によって形成されたクッション１５が取着されている。このクッション１５は、フード部材９ａの裏面との間で所定の隙間Ｓが形成されるようにフード部材９ａに対して取着されており、その隙間には、クッション１５を変動可能に支持するように弾性体２０が配設されている。
【００１５】
前記クッション１５には、下面側前方にリール脚の表面が当接する当接面１５ａが形成されており、上面側中央位置には、上方に突出する抜け止め突部１５ｂが形成されている。また、クッション１５の前端部には、フード部材９ａの前端縁に当て付いてクッションの後方への移動を規制する突出壁１５ｃが形成されており、後端部には、フード部材９ａの裏面に当て付いて、クッションが変動する際の支点となる突出部１５ｄが形成されている。
【００１６】
前記フード部材９ａの中央部分には、凹所９ｂが形成されており、その凹所の中央部分には、前記クッション１５の抜け止め突部１５ｂが挿通される孔９ｃが形成されている。この場合、孔９ｃは、クッション１５が自由に変動できるように、抜け止め突部１５ｂの断面形状よりもやや大きめに形成しておくのが好ましい。
【００１７】
そして、前記凹所９ｂには、抜け止め突部１５ｂが突出した状態で、クッション１５の下方への抜け止めを果たす抜け止め部材１７が取着されている。この抜け止め部材１７は、抜け止め突部１５ｂとは別体で形成され、その頂部に取着されるものであっても良いし、抜け止め突部１５ｂの頂部を潰したり、熱変形させることで抜け止め突部１５ｂと共に一体成形されるものであっても良い。すなわち、このような抜け止め部材１７が取着（形成）されることにより、クッション１５は、下方に抜けないように構成されている。
【００１８】
上記したように、フード部材９ａとクッション１５との間の隙間Ｓには、弾性体が設けられており、リール脚が挿入された際、クッション１５が変動できるように構成されている。本実施形態の弾性体は、後端側がクッション１５の表面に取着された板バネ２０によって構成されている。この場合、板バネ２０には、軸方向両サイドで前方側に延出すると共に、各先端部でクッション１５の表面に当て付いてクッション１５を下方向に付勢するサイド付勢部２０ａと、サイド付勢部２０ａの間で前方側に延出し、先端部でフード部材９ａの裏面に当て付くことで変動するクッション１５を安定させる中央付勢部２０ｂとが一体形成されている。また、中央付勢部２０ｂには、抜け止め突部１５ｂを挿通させる孔２０ｃが形成されている。
【００１９】
上記したように板バネ２０を介して変動可能に支持されたクッション１５を有する移動フードによれば、リール脚を固定すべく、ナット１２を回転して移動フード９を軸方向に移動して行くと、フード部材裏面に取着されたクッション１５の当接面１５ａがリール脚表面に当て付く。そして、更に移動フード９を軸方向に移動させると、クッション１５自体がフード部材９ａとの間に設けられた板バネ２０が弾性変形することにより、突出部１５ｄの部分を支点として変動し、リール脚の角度に沿って変動するようになる。この場合、クッション１５は、各サイド付勢部２０ａの付勢力に抗してリール脚の表面形状に応じて、上下方向及び左右方向（幅方向）に最適な状態に変動することが可能であり、しかも、孔９ｃと抜け止め突部１５ｂとの間の隙間により自由に変動することが可能となっている。そして、クッション１５は、最終的にナット１２による締め付け力によって抑え込まれているため、従来技術のように、クッションがフード部材９ａの裏面に固着されていた場合の点接触状態から、線接触ないしは面接触状態となり、理想的なクッション角度が得られ、リール脚をガタ付かせたり、隙間を生じさせることなく固定することが可能となる。
【００２０】
すなわち、クッション１５が、リール脚の角度に応じてフレキシブルに変動可能であることから、理想的なクッションの受けを実現できると共に、リール脚載置面６ａ上には、何も設ける必要が無いため、リール取り付け時の操作性が低下するようなこともない。
【００２１】
上述したフード部材９ａとクッション１５との間に設けられる弾性体の構成については、クッション１５を変動可能に支持できれば種々変形することが可能である。
例えば、図４に示す第２の実施形態の弾性体は、抜け止め突部１５ｂを円柱状に形成すると共に、その周囲でクッション１５の表面とフード部材９ａの凹所９ｂの裏面との間に配設されるコイルスプリング３０で構成したものである。
このように弾性体を、クッション１５の略中央位置に保持されるコイルスプリング３０とすることにより、構成が簡略化されると共に、クッション１５はあらゆる方向に変動できるため、リール脚の表面形状に沿って当て付くことが可能となって、リール脚をガタ付かせるようなことが防止される。
【００２２】
また、図５に示す第３実施形態の弾性体は、フード部材９ａとクッション１５との間の隙間に弾性変形可能な材料、例えば、ゴム、エラストマー、ウレタン、ＥＶＡ等の材料４０を介在させてクッション１５を変動できるように構成したものである。
このように弾性体は、上述したようなバネ部材以外にも、それ自体で弾性変形可能な材料によって構成することも可能であり、このような構成においても、クッション１５はあらゆる方向に変動できるため、リール脚の表面形状に沿って当て付くことが可能となって、リール脚をガタ付かせるようなことが防止される。
【００２３】
以上、本発明の実施形態について説明したが、本発明に係るリール脚固定装置は、上記した実施形態の構造に限定されることはなく、種々変形することが可能である。
例えば、上記した実施形態では、移動フード９を軸方向に移動させる手段としてネジ方式のものを例示したが、移動フードを軸方向にスライドさせてレバーを倒伏させることで移動フードを固定するレバー倒伏方式にも適用することが可能である。また、上記したようなフード部材とクッションとの間に弾性体を設けるのは、固定フード及び移動フードの少なくともいずれか一方に設けられていれば良い。さらに、図１に示す固定フードは、リール脚固定時に釣竿に対して軸方向に移動できるように構成されていても良い（移動フードとしての機能を有していても良い）。
【００２４】
【発明の効果】
以上、本発明の構成によれば、釣竿に対してリールを取り付けた際に、クッション部分がリール脚の表面形状に沿って変動するため、リール脚がガタ付いたりブレたりすることのないリール脚固定装置が得られる。
【図面の簡単な説明】
【図１】本発明の第１の実施形態を示す図であり、リール脚固定装置の部分断面図。
【図２】固定フード部分の平面図。
【図３】図２のＡ−Ａ線に沿った断面図。
【図４】本発明の第２の実施形態を示す図であり、固定フード部分の断面図。
【図５】本発明の第３の実施形態を示す図であり、固定フード部分の断面図。
【符号の説明】
５  リール脚固定装置
８，９  フード
８ａ，９ａ  フード部材
１５  クッション
２０  板バネ（弾性体）
３０  コイルスプリング（弾性体）
４０  弾性変形可能な材料（弾性体）
Ｓ  隙間
【図１】
2004254592.tif 000003
【図２】
2004254592.tif 000004
【図３】
2004254592.tif 000005
【図４】
2004254592.tif 000006
【図５】
2004254592.tif 000007